(57)【要約】【課題】床面の拡張が容易となる浴室ユニットを提供する。【解決手段】壁パネルを載置するための壁載置面と、その外側に水返し部となる立上片を持つ支持部材を、防水パン１の外周に垂下形成された受け部１ｂに載せ、該支持部材の壁載置面上に壁パネル７が載置される浴室ユニットにおいて、壁載置面１０ａが外側へ張り出され、その外側に水返し片１０ｂが立設されてなる張出し部材１０を、支持部材と交換して受け部１ｂに載せ、この張出し部材１０の壁載置面１０ａ上に壁パネル７を載置して、床面を張出し部材１０により拡張する。【選択図】図３
2007315094.tif 000002
【特許請求の範囲】
【請求項１】
壁パネルを載置するための壁載置面と、その外側に水返し部となる立上片を持つ支持部材を、防水パンの外周に垂下形成された受け部に載せ、該支持部材の壁載置面上に壁パネルが載置される浴室ユニットにおいて、
前記壁載置面が外側へ張り出され、その外側に水返し片が立設されてなる張出し部材を、前記支持部材と交換して前記受け部に載せ、該張出し部材の壁載置面上に壁パネルを載置したことを特徴とする浴室ユニット。
【請求項２】
前記張出し部材は、浴室ユニット内に横設されるカウンターの下方に設けられていることを特徴とする請求項１に記載の浴室ユニット。
【発明の詳細な説明】
【技術分野】
【０００１】
本発明は、拡張が容易となる浴室ユニットに関するものである。
【背景技術】
【０００２】
従来、特許文献１に開示されているように、山折りされた床延長部材が浴槽側床部材に接続されて、床面が延長可能である浴室ユニットが存在する。
【特許文献１】特開２００２−３６４１９４号公報
【発明の開示】
【発明が解決しようとする課題】
【０００３】
上記特許文献１に開示されているような構造では、強度を確保するために補強ステー等の補強部材が必要となり、部品点数が多く施工も面倒であるという問題点があった。また、防水パンの外周に水返しとなる垂直立上り部があるため、床延長部材を接続すると、壁パネル下方が床延長部材で隠れてしまうという問題点があった。
【課題を解決するための手段】
【０００４】
本発明は上記従来の問題点に鑑み案出したものであって、施工が容易で拡張が容易となる浴室ユニットを提供するものであり、その請求項１は、壁パネルを載置するための壁載置面と、その外側に水返し部となる立上片を持つ支持部材を、防水パンの外周に垂下形成された受け部に載せ、該支持部材の壁載置面上に壁パネルが載置される浴室ユニットにおいて、前記壁載置面が外側へ張り出され、その外側に水返し片が立設されてなる張出し部材を、前記支持部材と交換して前記受け部に載せ、該張出し部材の壁載置面上に壁パネルを載置したことである。
【０００５】
また、請求項２は、前記張出し部材は、浴室ユニット内に横設されるカウンターの下方に設けられていることである。
【発明の効果】
【０００６】
本発明は、壁パネルを載置するための壁載置面と、その外側に水返し部となる立上片を持つ支持部材を、防水パンの外周に垂下形成された受け部に載せ、該支持部材の壁載置面上に壁パネルが載置される浴室ユニットにおいて、前記壁載置面が外側へ張り出され、その外側に水返し片が立設されてなる張出し部材を、前記支持部材と交換して前記受け部に載せ、該張出し部材の壁載置面上に壁パネルを載置したことにより、支持部材を張出し部材と交換するだけで、容易に浴室ユニットの床面を拡張することができるものとなり、支持部材を張出し部材と交換するだけであるため防水パンを共通化することができるものとなる。また、張出し部材を防水パン外周の垂下部分に対して強固に固定することが可能であり、補強ステー等を不要とすることもできる。
【０００７】
また、前記張出し部材は、浴室ユニット内に横設されるカウンターの下方に設けられていることにより、拡張部材がカウンターの下方であるため見えにくく、踏みにくい位置となり、見栄え性が良好な浴室ユニットとなる。
【実施例】
【０００８】
以下、本発明の実施例を図面に基づいて説明する。
図１は、浴室ユニットの床面を構成する防水パンの平面構成図であり、防水パン１には、浴槽を設置する浴槽載置面２と、排水枡部３ａを有する洗い場面３が形成されており、浴槽載置面２と洗い場面３は、立ち上げ形成された堤防部４で仕切られている。
【０００９】
この防水パン１の外周には、図６に要部拡大縦断面図で示すように、一体状に下方へ延びる垂下片１ａが形成され、この垂下片１ａの下端で外方へ略水平に延びて受け部１ｂが一体形成され、受け部１ｂの先端は上方に隆起した係合部１ｃとなっている。また、垂下片１ａの上端には、連続して上方へ立ち上げて立上片１ｄが形成されている。
この防水パン１の受け部１ｂ上には、垂下片１ａに当接させて別体の支持部材９が載せられ、この支持部材９の上面の壁載置面９ａ上に壁パネル７が載置されて、壁パネル７により浴室ユニットの側壁面が形成されるものである。
【００１０】
本例では、この支持部材９と交換して、図３に要部縦断面図で示すような張出し部材１０を防水パン１の受け部１ｂに載せ、張出し部材１０により防水パン１の床面を拡張できるように構成されている。
図１では、図示上側の防水パン１の一辺の受け部１ｂ上に、このような張出し部材１０を載せて拡張したものである。
【００１１】
この張出し部材１０は、図４に前方側からの要部斜視図で、また図５に後方側からの斜視図で示すような形状に、射出成形により形成されたものである。
張出し部材１０は、上面に略水平な壁載置面１０ａが形成されており、壁載置面１０ａの外側に一体状に立ち上げて水返し片１０ｂが形成されている。壁載置面１０ａは、張出し部材１０を防水パン１の受け部１ｂに載せた状態で、図６の支持部材９の壁載置面９ａと同一高さになるような高さ位置に設定されており、この壁載置面１０ａ上には、図６と同様な高さ寸法の壁パネル７を載置することができるものである。この壁載置面１０ａの防水パン１側には、上方へ立ち上げて且つ防水パン１側へ１／５０〜３／５０の水勾配が形成された排水勾配面１０ｃが一体形成されている。この排水勾配面１０ｃにより、壁パネル７側から防水パン１内に良好に排水できるものである。
なお、壁パネル７と立上片１ｄ間の距離は、５０ｍｍ程度に設定されており、この５０ｍｍ程度の幅長が張出し部材１０により拡張されるものである。
【００１２】
なお、張出し部材１０の下端側には、防水パン１側の係合部１ｃが係合する係合段部１０ｅが形成されており、この係合段部１０ｅに係合部１ｃが嵌まり込むことで、良好に張出し部材１０が防水パン１に位置決めされるものである。この位置決めされた状態で、張出し部材１の固設面１０ｄが防水パン１の垂下片１ａの外側に当接状態となり、外側からネジ１１を固設面１０ｄから垂下片１ａに締め付けることにより、垂下片１ａに固設面１０ｄがネジ１１で固定されて、防水パン１に張出し部材１０が固定されるものである。なお、張出し部材１０の底側には、横方向に間隔をおいて補強リブ１０ｆ，１０ｆが一体形成されて張出し部材１０の強度が確保されている。
【００１３】
このように、張出し部材１０を支持部材９と交換して防水パン１の受け部１ｂ上に載せて取り付けることにより、容易に防水パンの床面を張出し部材１０の部分だけ拡張できるものとなり、同一モジュールの防水パン１を用意しておけば、現場の状況等に応じて支持部材９を張出し部材１０と交換することにより、容易に床面積を拡張できるものである。
【００１４】
なお、図２の斜視図で示すように、浴槽載置面２上に載置された浴槽５のエプロン６から壁パネル７に沿ってカウンター８を横設し、このカウンター８の下方に張出し部材１０が配置されるような構成にしておけば、カウンター８により、上方側からは張出し部材１０が見えにくくなり、また踏みにくいものとなり、浴室ユニット内の見栄え性が良好なものとなる。
【００１５】
なお、図６および図３では、防水パン１に一体状に立上片１ｄが形成されているものを例示しているが、図７に示すように、防水パン１に立上片１ｄが存在しない場合は、受け部１ｂ上に載せられる支持部材９の上面の壁載置面９ａは、立上片１ｄの部分だけ低い位置に設定されているものであり、この図７のような防水パンにおいて、支持部材９と交換して受け部１ｂ上に載せられる張出し部材１０は、その壁載置面１０ａは、支持部材９の壁載置面９ａと同一高さの立上片１ｄの部分だけ低い位置に設定されており、この場合も壁パネル７の高さは変更しないで支持部材９と交換して、張出し部材１０の壁載置面１０ａ上に壁パネル７を立設させて、側壁面を形成させることができるものであり、壁パネル７および防水パン１は共通化できるため、支持部材９と張出し部材１０を交換するのみで床面積を容易に拡張できるものである。
なお、張出し部材１０は、射出成形品ではなく、金属や樹脂の押し出し品でも良い。
【図面の簡単な説明】
【００１６】
【図１】浴室ユニットの床面を構成する防水パンの平面構成図である。
【図２】浴室ユニットの要部拡大斜視構成図である。
【図３】防水パンの受け部に張出し部材を載せ、張出し部材上に壁パネルを立設した状態の要部縦断面拡大構成図である。
【図４】張出し部材の前方から見た斜視構成図である。
【図５】張出し部材を後方側から見た斜視構成図である。
【図６】防水パンに支持部材を取り付け、支持部材上に壁パネルを立設した状態の要部縦断面構成図である。
【図７】立上片の存在しない防水パンに支持部材を載せ、支持部材上に壁パネルを立設させた状態の要部縦断面構成図である。
【符号の説明】
【００１７】
１  防水パン
１ａ  垂下片
１ｂ  受け部
１ｃ  係合部
１ｄ  立上片
２  浴槽載置面
３  洗い場面
５  浴槽
７  壁パネル
８  カウンター
９  支持部材
９ａ  壁載置面
１０  張出し部材
１０ａ  壁載置面
１０ｂ  水返し片
１０ｃ  排水勾配面
１０ｄ  固設面
１０ｅ  係合段部
１０ｆ  補強リブ
【図１】
2007315094.tif 000003
【図２】
2007315094.tif 000004
【図３】
2007315094.tif 000005
【図４】
2007315094.tif 000006
【図５】
2007315094.tif 000007
【図６】
2007315094.tif 000008
【図７】
2007315094.tif 000009